(57)【要約】【課題】開封した注出口部を簡易な方法で完全に密封可能とすること。【解決手段】一枚の板状部材を二つに折り曲げることにより、当該板状部材の対向する二つの内面がほぼ接触する程の状態で平行に配置するように形成された挟み部２と、前記挟み部２の開口端側をハの字状に形成して成る挿入口部３と、前記挟み部２の折り曲げによる閉口端側を任意断面形状に成形されてなる閉口端部４とから構成されている。【選択図】　図１
2004051177.tif 000002
【特許請求の範囲】
【請求項１】
一枚の板状部材を二つに折り曲げることにより、当該板状部材の対向する二つの内面がほぼ接触する程の状態で平行に配置するように形成された挟み部と、
前記挟み部の開口端側をハの字状に形成して成る挿入口部と、
前記挟み部の折り曲げによる閉口端側を任意断面形状に成形されてなる閉口端部と、
から構成されることを特徴とする自立性袋容器用密封具。
【請求項２】
一枚の板状部材を二つに折り曲げることにより、当該板状部材の対向する二つの内面がほぼ接触する程の状態で平行に配置するように形成された挟み部と、
前記挟み部の開口端側をハの字状に形成して成る挿入口部と、
前記挟み部の折り曲げによる閉口端側を任意断面形状に成形されてなる閉口端部と、
から構成され、
前記挟み部は、前記板状部材の対向する二つの内面を屈曲して成る屈曲部を有することを特徴とする自立性袋容器用密封具。
【発明の詳細な説明】
【０００１】
【発明の属する技術分野】
本発明は、液状の内容物を収容する自立性袋容器を開封し、その自立性袋容器から内容物を分割小出しした後に、容器内に残存する内容物を保存するにあたり、開封して形成された注出口部を再密封するために使用する自立性袋容器用密封具に関するものである。
【０００２】
【従来の技術】
現在市販されている自立性袋容器の内、液状内容物を一部注出した後に容器内に残存する内容物を保存するために当該自立性袋容器を再密封可能な自立性袋容器としては、図６のようなスクリューキャップ付き注出口１４を有する袋容器１１（以下、口栓付き袋容器１１ともいう）が一般的である。この口栓付き袋容器１１は、ポリエチレン、ポリプロピレン、ナイロン等の樹脂フィルム（以下、フレキシブルフィルム１２という）により作製されている。
【０００３】
【発明が解決しようとする課題】
ところで、自立性袋容器の再密封という点のみを考慮すれば上記口栓付き袋容器１４でも何ら問題はないが、この口栓付き袋容器１１を製造するにあたっては、スクリューキャップ付き注出口１４が高価である点，スクリューキャップ付き注出口１４の袋容器本体への装着技術が難しく、また特別な機械装置が必要である点，並びにスクリューキャップ付き注出口１４を袋容器に装着することによる容器生産スピードが大幅に遅れる点等の理由により、切り取り線（図示せず）に沿ってカットすることにより図７のように注出口部を形成するタイプの自立性袋容器１０（袋単体１０）に比べて、上記口栓付き袋容器１１は、製造コストが大幅に高くなるという不都合が生じていた。
【０００４】
また、上記口栓付き袋容器１１を荷積みして運送する場合には、袋単体１０に比べて上記口栓付き袋容器１１は数倍嵩張るため、運賃負担が大きくなるという不都合が生じていた。
【０００５】
以上のような不都合を解消するためには、単純な形状の密封具を用いて且つ簡易な方法で、口栓の付いていない自立性袋容器を完全に密封可能とすることが最良である。
【０００６】
そこで本発明の目的は、単純な形状を有しており、またスクリューキャップ付き注出口の無い袋容器を簡易な方法で完全に密封することができると共に、密封時に自立性袋容器が倒れる等して注出口部に大きな内圧が加わっても外れることのない自立性袋容器用密封具を提供することにある。
【０００７】
【課題を解決するための手段】
上述の目的を達成するため、本発明の自立性袋容器用密封具は、一枚の板状部材を二つに折り曲げることにより、当該板状部材の対向する二つの内面がほぼ接触する程の状態で平行に配置するように形成された挟み部と、前記挟み部の開口端側をハの字状に形成して成る挿入口部と、前記挟み部の折り曲げによる閉口端側を任意断面形状に成形されてなる閉口端部とから構成されている。
【０００８】
また本発明の自立性袋容器用密封具は、一枚の板状部材を二つに折り曲げることにより、当該板状部材の対向する二つの内面がほぼ接触する程の状態で平行に配置するように形成された挟み部と、前記挟み部の開口端側をハの字状に形成して成る挿入口部と、前記挟み部の折り曲げによる閉口端側を任意断面形状に成形されてなる閉口端部とから構成され、且つ前記挟み部は、前記板状部材の対向する二つの内面を屈曲して成る屈曲部を有している。
【０００９】
【発明の実施の形態】
以下、本発明の一実施形態に係る自立性袋容器用密封具について、図１から図３を参照して詳細に説明する。図１は本実施形態に係る自立性袋容器用密封具の構成図であり、図２は図１に示す自立性袋容器用密封具を自立性袋容器に使用した状態を示す図である。また、図３は図２において自立性袋容器用密封具により密封された注出口部付近の拡大断面図である。
【００１０】
まず、本実施形態における自立性袋容器用密封具１（以下、単に密封具１とも言う）の構成について、図１を参照して説明する。本実施形態における密封具１は例えばプラスチック等から成り、一枚の板状部材を二つに折り曲げることによって形成される。この密封具１は、前記折り曲げによって形成される挟み部２と、当該挟み部２の開口端側をハの字状に形成して成る挿入口部３と、前記挟み部２の折り曲げによる閉口端側を略円形状断面に成形されてなる閉口端部４と、から構成されている。前記挟み部２は、前記折り曲げによって、対向する二つの内面が図１のようにほぼ接触する程の状態で平行に配置して成る。
【００１１】
次に、上述のような構成の密封具１の使用態様について、図２及び図３を参照して説明する。尚、自立性袋容器１０についても、上記口栓付き袋容器１１と同様に、ポリエチレン、ポリプロピレン、ナイロン等の樹脂フィルム（以下、フレキシブルフィルム１２という）により作製されている。
【００１２】
まず、図７のように一旦開封した自立性袋容器１０を再密封する際には、開封した注出口部１３付近におけるフレキシブルフィルム１２を容器の表側あるいは裏側の何れか一方に向けて折り曲げ、続いてその折り曲げた注出口部１３付近におけるフレキシブルフィルム１２の折り目に前記密封具１の挿入口部３を押し当て、しかる後に、この折り目が前記挿入口部３から挟み部２を通して前記閉口端部４まで達するように、この密封具１を折り目に対して押し込んでいく。すると、この押し込みにより、挟み部２において対向する内面の間隔が拡げられ、前記注出口部１３の折り目が挟み部２を通って閉口端部４まで挿入される。以上のようにして、本実施形態において、自立性袋容器１０は、外観上は図２のように、詳しくは図３のように密封される。
【００１３】
ここで、折り曲げられた注出口部１３付近におけるフレキシブルフィルム１２の性質上、フレキシブルフィルム１２の復元力（弾性力）によって前記折り目が略円形状断面に膨らみ、この膨らんだ折り目のフィルム１２が略円形状断面の閉口端部４の内面に密着した状態となる。このように、閉口端部４においてフィルム１２の膨らんだ状態が保持されるため、この密封具１は、一旦挟み込んだ注出口部１３から容易に外れにくくなる。
【００１４】
特に、低粘性の液状内容物が収容される自立性袋容器１０が倒れた場合、注出口部１３付近に加わる内容物による内圧は非常に大きいが、密封具１によって密封された状態の注出口部１３付近におけるフレキシブルフィルム１２は、挟み部２において面接触した状態で折り曲げられて挟み込まれており、自立性袋容器１０が倒れた場合に、この自立性袋容器１０が倒れた場合に加わる内圧が容器内面の一箇所に集中して加わるのではなく、内容物と注出口部１３付近におけるフレキシブルフィルム１２の内面とは線接触した状態となるため、注出口部１３が内圧によって拡げられることなく、密封状態を保持できる。さらに、閉口端部４においてフィルム１２の膨らんだ状態を保持しているため、自立性袋容器１０が倒れた場合に、注出口部１３付近に加わる内圧により密封具１が外れることはない。よって、本実施形態の密封具１により、一層良好な再密封状態を実現することが可能となる。
【００１５】
よって、上記構成の密封具１を用いて再密封された自立性袋容器１０が何らかの原因により倒れた場合でも、この密封具１が注出口部１３から外れることはなく、そのため倒れた際に自立性袋容器１０内の液状内容物が外部に零れることのない完全な再密封を実現可能とする。
【００１６】
また、本実施形態に係る密封具１はプラスチック等から成るため、この密封具１を手で掴み、この密封具１をフレキシブルフィルム１２の折り目と平行にスライドさせた後、挟んだ状態の注出口部１３から引っ張れば、このスライドによって密封具１と折り目とが点接触した状態で注出口部１３から密封具１を引っ張ることとなるため、大きな力を加えずとも人力で容易に取り外すことができ、子供にとっても使い勝手の良いものとなっている。
【００１７】
尚、本実施形態に係る密封具１の閉口端部４の断面形状は、略円形状としているが、これに限定されるものではない。しかしながら、フィルム１２の復元力による折り目の膨らみを考慮すると、真円形状とすることが最も好ましい。
【００１８】
ところで、上記第一実施形態に係る密封具１を用い、注出口部１３付近におけるフレキシブルフィルム１２を折り曲げて行う再密封は、例えば水等のように液状内容物の粘性が低い場合には有効であるが、調味料等のように液状内容物の粘性が高い場合には、上記のような再密封は必ずしも有効とは言えない。
【００１９】
具体的には、液状内容物の粘性が高い場合、注出し切れなかった内容物は注出口部１３付近の内面に付着しているが、この状態で上記のように注出口部１３付近を折り曲げて密封具１を折り目に対して押し込んでいくと、注出口部１３付近内面に付着した状態の液状内容物が、密封具１の挿入口部３によって前記注出口部１３から容器外部に絞り出され、容器外面に付着して汚れてしまうという不都合が生じてしまう。
【００２０】
そこで、粘性の高い液状内容物を収容する自立性袋容器１０への使用に適した密封具について、図４及び図５を参照して以下説明する。図４は、第二実施形態に係る自立性袋容器用密封具の概略構成図であり、図５は図４において自立性袋容器用密封具により密封された注出口部付近の拡大断面図である。
【００２１】
第二実施形態に係る自立性袋容器用密封具１ａは、上記実施形態と同様、例えばプラスチック等から成り、一枚の板状部材を二つに折り曲げることによって形成されている。この密封具１ａは、前記折り曲げによって形成される挟み部２ａと、当該挟み部２ａの開口端側をハの字状に形成して成る挿入口部３ａと、前記挟み部２ａの折り曲げによる閉口端側を略円形状断面に成形されてなる閉口端部４ａと、から構成されているが、前記挟み部２ａは、第一実施形態に係る密封具１ａのように対向する二つの内面が平行に配置して成るものではなく、図４及び図５のような「く」字状の屈曲部５が挟み部２ａに形成されてなる。尚、本実施形態において、閉口端部４ａは必ずしも略円形状断面に成形される必要はない。
【００２２】
以上のような構成の密封具１ａの使用態様について、図５を参照して説明する。粘性の高い液状内容物を収容する自立性袋容器１０を再密封する際には、まず、開封した注出口部１３付近におけるフレキシブルフィルム１２を折り曲げず、注出口部１３に密封具１ａの挿入口部３ａを押し当て、しかる後に、この注出口部１３が前記挿入口部３ａから挟み部２ａを通して閉口端部４ａまで達するように、この密封具１ａを当該注出口部１３に対して押し込んでいく。すると、この押し込みにより、挟み部２ａにおける内面の間隔が拡げられ、注出口部１３が挟み部２ａを通って閉口端部４ａまで挿入される。以上のようにして、本実施形態においても上記実施形態と同様、自立性袋容器１０は、外観上は図２のように、詳しくは図５のように密封される。
【００２３】
ここで、注出口部１３が挟み部２ａを通る際に、挟み部２ａにおける前記屈曲部５が、注出口部１３付近の内面に付着した状態の高粘性液状内容物を容器内部に刮ぎ落とすため、特に容器内部の液状内容物が高粘性である場合には、本実施形態に係る密封具１ａを用いることにより、上述のような不都合が解消される。また、この屈曲部５により、自立性袋容器１０のフレキシブルフィルム１２が噛み合うように挟まれるため、この密封具１ａは、一旦挟み込んだ注出口部１３から容易に外れにくくなる。
【００２４】
特に本実施形態では、高粘性の液状内容物が収容されている場合を想定しているが、高粘性液状内容物を収容する自立性袋容器が倒れた場合、低粘性液状内容物を収容した自立性袋容器が倒れた場合に比べて、倒れた際に注出口部１３に加わる内容物による内圧が低いため、上記実施形態のように注出口部１３を折り曲げることなく、屈曲部５を設けた密封具１ａにより注出口部１３を挟むだけで十分な再密封状態を実現することが可能となる。
【００２５】
また、本実施形態に係る密封具１ａについても、第一実施形態と同様にプラスチック等から成るため、この密封具１ａを手で掴み、この密封具１をフレキシブルフィルム１２の折り目と平行にスライドさせた後、挟んだ状態の注出口部１３から引っ張れば、第一実施形態と同様の原理により、大きな力を加えずとも人力で容易に取り外すことができ、子供にとっても使い勝手の良いものとなっている。
【００２６】
【発明の効果】
以上述べたように、本発明の自立性袋容器用密封具によれば、スクリューキャップ付き注出口の無い自立性袋容器の開封した注出口部を簡易な方法で完全に密封することができ、且つ人力で容易に取り外すこともできる。また、密封時に自立性袋容器が倒れる等して注出口部に大きな内圧が加わっても、その内圧によって密封具が外れることがない。さらに、本発明の自立性袋容器用密封具は単純な形状を有しているため、多大な製造コストを要せずとも容易に製造することができる。
【図面の簡単な説明】
【図１】本発明の一実施形態における自立性袋容器用密封具の構成を示す図である。
【図２】図１の自立性袋容器用密封具を自立性袋容器に使用した状態を示す図である。
【図３】第一実施形態に係る自立性袋容器用密封具により密封された注出口部付近の構成を示す拡大断面図である。
【図４】本発明の第二実施形態に係る自立性袋容器用密封具の構成を示す図である。
【図５】第二実施形態に係る自立性袋容器用密封具により密封された注出口部付近の構成を示す拡大断面図である。
【図６】従来の口栓付き袋容器の概略構成図である。
【図７】口栓の付いていない自立性袋容器（袋単体）の概略構成図である。
【符号の説明】
１，１ａ…自立性袋容器用密封具、２，２ａ…挟み部、３，３ａ…挿入口部、４，４ａ…閉口端部、５…屈曲部、１０…自立性袋容器（袋単体），１１…口栓付き袋容器，１２…フレキシブルフィルム，１３…注出口部，１４…スクリューキャップ付き注出口。
【図１】
2004051177.tif 000003
【図２】
2004051177.tif 000004
【図３】
2004051177.tif 000005
【図４】
2004051177.tif 000006
【図５】
2004051177.tif 000007
【図６】
2004051177.tif 000008
【図７】
2004051177.tif 000009